【手続補正書】
【提出日】平成20年7月15日(2008.7.15)
【手続補正１】
【補正対象書類名】明細書
【補正対象項目名】特許請求の範囲
【補正方法】変更
【補正の内容】
【特許請求の範囲】
【請求項１】  放送ネットワークから遠隔に位置する複数の通信装置の少なくとも１つに、個別化された気象出力信号を選択的に伝送するための放送ネットワークであって、
各々がユーザプロファイルを含む複数のユーザ定義パラメータを含み、前記複数のユーザ定義パラメータの各々におけるユーザプロファイルが、特定のユーザに関連付けられた通信装置を識別するユーザ識別子コードを含む、ユーザ入力データベースと、
位置コードおよび空間範囲識別子を、気象情報データベースから受け取ったリアルタイム気象データと自動的かつ継続的に比較して、前記空間範囲識別子および前記位置コードによって識別された空間範囲内の気象情報を含む複数の個別化気象出力信号を生成する気象分析ユニットと、
前記複数のユーザ定義パラメータ中のユーザ識別子コード、および、前記個別化気象出力信号を受け取り、個別化気象出力信号の各々を、前記ユーザ定義パラメータ中に含まれている前記ユーザプロファイル中の前記ユーザ識別子コードによって識別された特定の通信装置に伝送する通信ネットワークと
を含む放送ネットワーク。
【請求項２】  複数の位置コードが動的位置を指定し、そして、放送ネットワークが、複数の通信装置の動的空間位置を表すリアルタイムデータを含む通信位置データベースをさらに含む、請求項１に記載の放送ネットワーク。
【請求項３】  前記ユーザ定義パラメータの少なくともいくつかの中の前記ユーザプロファイルが、少なくとも１つの気象内容識別子を含み、そして、前記複数の個別化気象出力信号の少なくとも１つが、前記リアルタイム気象データに対応する気象内容識別子に応答する、請求項１に記載の放送ネットワーク。
【請求項４】  複数の位置コードが固定位置を表す、請求項１に記載の放送ネットワーク。
【請求項５】  複数のユーザ定義パラメータが時間識別子を含み、そして、前記複数の個別化気象出力信号の少なくとも１つが、前記時間識別子の１つによって識別された時間に対応する前記リアルタイム気象データに応答して生成される、請求項１に記載の放送ネットワーク。
【請求項６】  前記通信ネットワークが、移動電話ネットワークを介して、個別化気象出力信号を特定の通信装置に伝送する、請求項１に記載の放送ネットワーク。
【請求項７】  前記ユーザ識別子コードの少なくとも１つが、移動電話、ページャ、ラップトップコンピュータ、およびパーソナルデジタルアシスタントのうちの少なくとも１つを識別する、請求項１に記載の放送ネットワーク。
【請求項８】  前記ユーザ入力データベース中の前記複数のユーザ定義パラメータの各々が、特定のユーザに関連付けられており、前記気象分析ユニットによって比較された前記位置コードおよび空間範囲識別子が、各特定のユーザに関連付けられており、そして、各空間範囲が、各特定のユーザのために個別化されている、請求項１に記載の放送ネットワーク。
【請求項９】  前記位置コードがユーザによって選択される、請求項１に記載の放送ネットワーク。
【請求項１０】  前記空間範囲識別子がユーザによって選択される、請求項１に記載の放送ネットワーク。
【請求項１１】  前記空間範囲識別子によって識別された空間範囲、および、前記位置コードが、三次元的である、、請求項１に記載の放送ネットワーク。
【請求項１２】  放送ネットワークから遠隔に位置する複数のユーザに気象情報を提供するための方法であって、
各々がユーザプロファイルを含む複数のユーザ定義パラメータを、ユーザ入力データベース中に入力するステップであって、前記複数のユーザ定義パラメータの各々におけるユーザプロファイルが、特定のユーザに関連付けられた通信装置を識別するユーザ識別子コードを含むところのステップと、
位置コードおよび空間範囲識別子を、リアルタイム気象データと自動的かつ継続的に比較して、複数のユーザ定義パラメータの空間範囲識別子によって識別された空間範囲内の気象情報を含む複数の個別化気象出力信号を生成するステップと、
前記ユーザ定義パラメータ中の前記ユーザ識別子コード、および、前記個別化気象出力信号を、通信ネットワークによって受け取るステップと、そして、
前記ユーザ定義パラメータ中に含まれている前記ユーザプロファイル中の前記ユーザ識別子コードによって識別された特定の通信装置に、リアルタイム気象データに対応する個別化気象出力信号の各々を伝送するステップと
を含む方法。
【請求項１３】  前記通信ネットワークが、移動電話ネットワークを介して、前記特定の通信装置に個別化気象出力信号を伝送する、請求項１２に記載の方法。
【請求項１４】  前記ユーザ識別子コードの少なくとも１つが、移動電話、ページャ、ラップトップコンピュータ、およびパーソナルデジタルアシスタントの少なくとも１つを識別する、請求項１２に記載の方法。
【請求項１５】  少なくとも１つの気象内容識別子に基づいて、複数の空間位置のデータセットを編集するステップと、
複数のベンダの少なくとも１人に対して前記データセットを出力するステップと
をさらに含む、請求項１２に記載の方法。
【請求項１６】  少なくとも１つの気象内容識別子に基づいて、複数のユーザプロファイルのデータセットを編集するステップと、
複数のベンダの少なくとも１人に対して前記データセットを出力するステップと
をさらに含む、請求項１２に記載の方法。
【請求項１７】  複数の位置コードが動的位置を指定し、そして、複数の通信装置の動的空間位置を表すリアルタイムデータを受け取るステップをさらに含む、請求項１２に記載の方法。
【請求項１８】  複数のユーザ定義パラメータを前記ユーザ入力データベース中に入力する前記ステップにおいて、前記ユーザ定義パラメータの少なくともいくつかの中の前記ユーザプロファイルが、少なくとも１つの気象内容識別子を含み、そして、比較する前記ステップにおいて、前記個別化気象出力信号の少なくとも１つが、前記リアルタイム気象データに対応する気象内容識別子に応答する、請求項１２に記載の方法。
【請求項１９】  複数の位置コードが固定位置を表す、請求項１２に記載の方法。
【請求項２０】  複数のユーザ定義パラメータをユーザ入力データベース中に入力する前記ステップにおいて、複数のユーザ定義パラメータが時間識別子を含み、そして、前記個別化気象出力信号の少なくとも１つが、前記時間識別子の１つによって識別された時間に対応する前記リアルタイム気象データに応答して生成される、請求項１２に記載の方法。
【請求項２１】  各空間範囲が、各特定のユーザのために個別化されている、請求項１２に記載の方法。
【請求項２２】  放送ネットワークから遠隔に位置する複数の通信装置の少なくとも１つに、個別化された気象出力信号を選択的に伝送するための放送ネットワークであって、
各々が、特定のユーザに関連付けられており、そして、ユーザプロファイルを含む複数のユーザ定義パラメータを含み、前記複数のユーザ定義パラメータの各々におけるユーザプロファイルが、特定のユーザに関連付けられた通信装置を識別するユーザ識別子コードを含む、ユーザ入力データベースと、
空間範囲識別子および位置コードによって識別された空間範囲内の気象情報を含む複数の個別化気象出力信号を、ユーザの要求により、または、継続的に生成する気象分析ユニットであって、各空間範囲が、各特定のユーザのために個別化されており、そして、前記気象出力信号が、各特定のユーザに関連付けられた位置コードおよび空間範囲識別子の、気象情報データベースから受け取ったリアルタイム気象データとの、前記気象分析ユニットによる比較から導き出されるところの気象分析ユニットと、
前記複数のユーザ定義パラメータ中のユーザ識別子コード、および、前記個別化気象出力信号を受け取り、個別化気象出力信号の各々を、前記ユーザ定義パラメータ中に含まれている前記ユーザプロファイル中の前記ユーザ識別子コードによって識別された特定の通信装置に伝送する通信ネットワークと
を含む放送ネットワーク。
【請求項２３】  放送ネットワークから遠隔に位置する複数のユーザに気象情報を提供するための方法であって、
各々がユーザプロファイルを含む複数のユーザ定義パラメータを、ユーザ入力データベース中に入力するステップであって、前記複数のユーザ定義パラメータの各々におけるユーザプロファイルが、特定のユーザに関連付けられた通信装置を識別するユーザ識別子コードを含むところのステップと、
空間範囲識別子および位置コードによって識別された空間範囲内の気象情報を含む複数の個別化気象出力信号を、ユーザの要求により、または、継続的に生成するステップであって、各空間範囲が、各特定のユーザのために個別化されており、そして、前記気象出力信号が、各特定のユーザに関連付けられた位置コードおよび空間範囲識別子の、気象情報データベースから受け取ったリアルタイム気象データとの比較から導き出されるところのステップと、
前記ユーザ定義パラメータ中の前記ユーザ識別子コード、および、前記個別化気象出力信号を、通信ネットワークによって受け取るステップと、そして、
前記ユーザ定義パラメータ中に含まれている前記ユーザプロファイル中の前記ユーザ識別子コードによって識別された特定の通信装置に、リアルタイム気象データに対応する個別化気象出力信号の各々を伝送するステップと
を含む方法。